(57)【要約】【課題】プリント配線基板に容易に取り付けることができ、かつ、ＬＥＤが振動等によっても外れないＬＥＤホルダーを提供する。【解決手段】ＬＥＤ１４の後部が差し込まれる挿入孔２０を有するＬＥＤ固定部１６と、ＬＥＤ１６の底面から突出し、プリント配線基板１２の一対の固定孔２６に差し込まれる一対の爪部１８，１８とを有するものである。【選択図】      図１
2008192981.tif 000002
【特許請求の範囲】
【請求項１】
ＬＥＤをプリント配線基板に取り付けるためのＬＥＤホルダーにおいて、
前記ＬＥＤの後部が差し込まれる挿入孔を有するＬＥＤ固定部と、
前記ＬＥＤ固定部の底面から突出し、前記プリント配線基板の一対の固定孔に差し込まれる一対の爪部と、
前記ＬＥＤ固定部に貫通した配線孔と、
を有する
ことを特徴とするＬＥＤホルダー。
【請求項２】
前記ＬＥＤの後部が前記ＬＥＤ固定部に軸方向に差し込まれる
ことを特徴とする請求項１記載のＬＥＤホルダー。
【請求項３】
前記一対の爪部が平行に配置されている
ことを特徴とする請求項１記載のＬＥＤホルダー。
【請求項４】
前記一対の爪部が「ハ」の字状に配置されている
ことを特徴とする請求項１記載のＬＥＤホルダー。
【請求項５】
前記プリント配線基板が、電動工具に内部に設けられている
ことを特徴とする請求項１記載のＬＥＤホルダー。
【発明の詳細な説明】
【技術分野】
【０００１】
本発明は、電動工具等に取り付けられるＬＥＤ（発光ダイオード）を固定するためのＬＥＤホルダーに関するものである。
【背景技術】
【０００２】
最近の電動工具においては、ＬＥＤを用いるものが多くなっている。このＬＥＤを取り付けるためのＬＥＤホルダーとしては、例えば、ＬＥＤを囲む「コ」の字型の壁と、この壁の底面から設けられた一対の爪部及び一対のガイドピンとを有するものが提案されている（例えば、特許文献１参照）。
【特許文献１】特開２００５−３１１１０２公報
【発明の開示】
【発明が解決しようとする課題】
【０００３】
上記のようなＬＥＤホルダーは、一対の爪部とガイドピンをプリント配線基板に差し込むだけで固定ができるため組み立て工程が簡単となる。しかし、ＬＥＤを「コ」の字型の壁の上方から差し込む構造であるため、電動工具のように振動が多く発生するものにおいてはＬＥＤが、この壁から外れたりすることがある。
【０００４】
そこで、本発明は上記問題点に鑑み、プリント配線基板に容易に取り付けることができ、かつ、ＬＥＤが振動等によっても外れないＬＥＤホルダーを提供する。
【課題を解決するための手段】
【０００５】
請求項１に係る発明は、ＬＥＤをプリント配線基板に取り付けるためのＬＥＤホルダーにおいて、前記ＬＥＤの後部が差し込まれる挿入孔を有するＬＥＤ固定部と、前記ＬＥＤ固定部の底面から突出し、前記プリント配線基板の一対の固定孔に差し込まれる一対の爪部と、前記ＬＥＤ固定部に貫通した配線孔と、有することを特徴とするＬＥＤホルダーである。
【０００６】
請求項２に係る発明は、前記ＬＥＤの後部が前記ＬＥＤ固定部に軸方向に差し込まれることを特徴とする請求項１記載のＬＥＤホルダーである。
【０００７】
請求項３に係る発明は、前記一対の爪部が平行に配置されていることを特徴とする請求項１記載のＬＥＤホルダーである。
【０００８】
請求項４に係る発明は、前記一対の爪部がハの字状に配置されていることを特徴とする請求項１記載のＬＥＤホルダーである。
【０００９】
請求項５に係る発明は、前記プリント配線基板が、電動工具に内部に設けられていることを特徴とする請求項１記載のＬＥＤホルダーである。
【発明の効果】
【００１０】
本発明によれば、簡単にプリント配線基板に取り付けることができ、かつ、ＬＥＤがＬＥＤホルダーから外れることがない。
【発明を実施するための最良の形態】
【００１１】
以下、本発明の一実施形態のＬＥＤホルダー１０について図面に基づいて説明する。
【００１２】
（第１の実施形態）
以下、本発明の第１の実施形態のＬＥＤホルダー１０について図１〜図３に基づいて説明する。
【００１３】
本実施形態のＬＥＤホルダー１０は、電動工具の内部、具体的には、電動工具のフレーム内部にあるブラシレスＤＣモータの下方に取り付けられたプリント配線基板１２にＬＥＤ１４を固定するためのものである。
【００１４】
ＬＥＤホルダー１０は、合成樹脂により一体成形され、ＬＥＤ１４を固定するためのＬＥＤ固定部１６と、このＬＥＤ固定部１６の底面から突出した一対の爪部１８とから構成されている。
【００１５】
ＬＥＤ固定部１６の前面には挿入孔２０が開口し、ＬＥＤ１４の後部を軸方向に挿入してその後部を完全に覆って固定する。また、この挿入孔２０の閉塞面には、ＬＥＤ１４から突出している配線用の脚２２、２２が貫通する配線孔２４、２４が貫通している。この配線孔２４は、挿入孔２０の閉塞面からＬＥＤ固定部１６の後面に貫通し、ＬＥＤ１４を固定した場合に脚２２が配線孔２４の後面から突出し、図１に示すようにプリント配線基板１２の上面に半田付けで固定できる。
【００１６】
一対の爪部１８，１８は、プリント配線基板１２の所定の箇所に開口した一対の固定孔２６，２６に係合してＬＥＤホルダー１０を固定する。
【００１７】
上記構成のＬＥＤホルダー１０であると、一対の爪部１８のみによってＬＥＤホルダー１０を取り付けるため、取り付け作業が容易であり、その取り付け位置を容易に確保することができる。また、ＬＥＤホルダー１０の傾きや浮き、ズレ等をなくすことができる。
【００１８】
さらに、ＬＥＤ１４は、ＬＥＤ固定部１６の挿入孔２０に挿入して固定する構造であるため、電動工具のように振動が有るものであってもＬＥＤ１４がＬＥＤホルダー１０から外れたりすることがない。
【００１９】
（第２の実施形態）
次に、図４に基づいて第２の実施形態のＬＥＤホルダー１０について説明する。
【００２０】
本実施形態のＬＥＤホルダー１０と第１の実施形態のＬＥＤホルダー１０の相違点は、一対の爪部１８，１８の構造にある。即ち、第１の実施形態では一対の爪部１８，１８は平行に設けられていたが、本実施形態では図４に示すように「ハ」の字状に構成されている。そして、図４に示すようにプリント配線基板１２に設けられている一対の固定孔２６については、この「ハ」の字状の爪部１８，１８が斜めに挿入できる大きさに開口している。
【００２１】
このような「ハ」の字状の一対の爪部１８，１８であると、ＬＥＤホルダー１０を平行な場合よりより安定して固定することができる。その上、一対の爪部１８，１８の寸法及び一対の固定孔２６，２６の寸法精度が第１の実施形態のものよりも低くても、確実に固定することができる。
【産業上の利用可能性】
【００２２】
本発明のＬＥＤホルダーは、電動工具、空気調和機、その他の電気機器に使用することができる。
【図面の簡単な説明】
【００２３】
【図１】本発明の第１の実施形態を示すＬＥＤホルダーの側面図である。
【図２】同じくＬＥＤホルダーの正面図である。
【図３】同じくＬＥＤホルダーをプリント配線基板に取り付けた状態の底面図である。
【図４】第２の実施形態のＬＥＤホルダーの底面図である。
【符号の説明】
【００２４】
１０  ＬＥＤホルダー
１２  プリント配線基板
１４  ＬＥＤ
１６  ＬＥＤ固定部
１８  爪部
２０  挿入孔
２２  脚
２４  配線孔
２６  固定孔
【図１】
2008192981.tif 000003
【図２】
2008192981.tif 000004
【図３】
2008192981.tif 000005
【図４】
2008192981.tif 000006